(57)【要約】【課題】会議で用いられた紙媒体上で、会議の進行と共に注目するべき場所を表示可能とすること。【解決手段】面に支持された紙媒体を識別する媒体識別子を検知し、当該媒体識別子に対応する、対応資料識別情報を取得する。会議情報における会議を識別する情報に関連づけられた資料識別情報のうち、媒体識別子に関係して取得した対応資料識別情報に一致する資料識別情報を見出し、当該見出した資料識別情報に関連づけられて記憶されている日時情報と領域情報とを取得する。そして取得した日時情報と領域情報とを用い、指定された日時に対応する日時情報に関連した領域情報を参照し、当該参照した領域情報に対応する領域を照明する情報処理装置である。【選択図】図１
2009294847.tif 000002
【特許請求の範囲】
【請求項１】
記憶装置と、情報処理装置とを含み、
前記記憶装置は、
会議を識別する情報と、当該会議に参加予定である人物を識別する情報とを関連づける会議情報と、前記会議を識別する情報と、前記会議で使用された資料を識別する資料識別情報と、当該資料の一部を特定する領域情報と、当該資料の一部が利用された日時を特定する日時情報とを関連づけた資料情報とを保持し、
前記情報処理装置は、
前記記憶装置と通信する通信手段と、
利用者を識別する手段と、
紙媒体を支持可能な面を有し、予め定められた紙媒体上の複数の領域のいずれかを選択的に照明する選択照明手段と、
前記面に支持された紙媒体を識別する媒体識別子を検知する検知手段と、
当該検知した媒体識別子に対応する、対応資料識別情報を取得する識別情報取得手段と、
前記通信手段を介して、前記記憶装置において識別した利用者が参加予定の人物として関連づけられている会議情報を見出し、当該会議情報における会議を識別する情報に関連づけられた資料識別情報のうち、前記媒体識別子に関係して取得した前記対応資料識別情報に一致する資料識別情報を見出し、当該見出した資料識別情報に関連づけられて記憶されている日時情報と領域情報とを取得する領域情報取得手段と、
前記取得した日時情報と領域情報とを用い、指定された日時に対応する日時情報に関連した領域情報を参照し、当該参照した領域情報に対応する領域を照明するよう前記選択照明手段を制御する制御手段と、
を含むことを特徴とする情報処理システム。
【請求項２】
会議を識別する情報と、当該会議に参加予定である人物を識別する情報とを関連づける会議情報と、前記会議を識別する情報と、前記会議で使用された資料を識別する資料識別情報と、当該資料の一部を特定する領域情報と、当該資料の一部が利用された日時を特定する日時情報とを関連づけた資料情報とを保持する記憶装置に接続され、
前記記憶装置と通信する通信手段と、
利用者を識別する手段と、
紙媒体を支持可能な面を有し、予め定められた紙媒体上の複数の領域のいずれかを選択的に照明する選択照明手段と、
前記面に支持された紙媒体を識別する媒体識別子を検知する検知手段と、
当該検知した媒体識別子に対応する、対応資料識別情報を取得する識別情報取得手段と、
前記通信手段を介して、前記記憶装置において識別した利用者が参加予定の人物として関連づけられている会議情報を見出し、当該会議情報における会議を識別する情報に関連づけられた資料識別情報のうち、前記媒体識別子に関係して取得した前記対応資料識別情報に一致する資料識別情報を見出し、当該見出した資料識別情報に関連づけられて記憶されている日時情報と領域情報とを取得する領域情報取得手段と、
前記取得した日時情報と領域情報とを用い、指定された日時に対応する日時情報に関連した領域情報を参照し、当該参照した領域情報に対応する領域を照明するよう前記選択照明手段を制御する制御手段と、
を含むことを特徴とする情報処理装置。
【請求項３】
紙媒体上で利用者が記入操作を行った記入領域を表す記入領域情報を取得する手段と、
前記取得した記入領域情報を表す情報を、当該記入操作の日時に関連づけて記憶する手段と、
をさらに含み、
前記領域情報取得手段は、前記見出した資料識別情報に関連づけられて前記記憶装置に記憶されている日時情報と領域情報とを取得するとともに、前記記入領域情報と記入操作の日時とを取得し、
前記制御手段は、前記取得した日時情報及び領域情報と、前記記入領域情報及び記入操作の日時とを用い、指定された日時に対応する日時情報または記入操作の日時に関連した領域情報または記入領域情報を参照し、当該参照した領域情報または記入領域情報に対応する領域を照明するよう前記選択照明手段を制御することを特徴とする請求項２記載の情報処理装置。
【請求項４】
前記制御手段は、前記領域情報と記入領域情報とのそれぞれに対応する領域を、それぞれ区別可能な態様で照明するよう前記選択照明手段を制御することを特徴とする請求項３記載の情報処理装置。
【請求項５】
会議を識別する情報と、当該会議に参加予定である人物を識別する情報とを関連づける会議情報と、前記会議を識別する情報と、前記会議で使用された資料を識別する資料識別情報と、当該資料の一部を特定する領域情報と、当該資料の一部が利用された日時を特定する日時情報とを関連づけた資料情報とを保持する記憶装置に接続されるコンピュータを、
前記記憶装置と通信する通信手段と、
利用者を識別する手段と、
紙媒体を支持可能な面を有し、予め定められた紙媒体上の複数の領域のいずれかを選択的に照明する選択照明手段と、
前記面に支持された紙媒体を識別する媒体識別子を検知する検知手段と、
当該検知した媒体識別子に対応する、対応資料識別情報を取得する識別情報取得手段と、
前記通信手段を介して、前記記憶装置において識別した利用者が参加予定の人物として関連づけられている会議情報を見出し、当該会議情報における会議を識別する情報に関連づけられた資料識別情報のうち、前記媒体識別子に関係して取得した前記対応資料識別情報に一致する資料識別情報を見出し、当該見出した資料識別情報に関連づけられて記憶されている日時情報と領域情報とを取得する領域情報取得手段と、
前記取得した日時情報と領域情報とを用い、指定された日時に対応する日時情報に関連した領域情報を参照し、当該参照した領域情報に対応する領域を照明するよう前記選択照明手段を制御する制御手段と、
として機能させることを特徴とするプログラム。
【発明の詳細な説明】
【技術分野】
【０００１】
本発明は、情報処理システム、情報処理装置及びプログラムに関する。
【背景技術】
【０００２】
電子化資料を共有するクライアントサーバ型の電子会議支援システムに用いられ、会議参加者のうち、発表者のクライアントコンピュータの画面に表示される会議資料にメモが記述されたとき、当該メモを資料に関連付けてサーバーに蓄積すると共に、当該サーバーを介して他のクライアントコンピュータに配信し、発表者以外の参加者によるコンピュータ画面上へのメモの記述は、それぞれが持つコンピュータ上にローカルに保存し、先に配信された発表者のメモとは別個に管理される技術が特許文献１に開示されている。
【特許文献１】特開２００１−２５６１６５号公報
【発明の開示】
【発明が解決しようとする課題】
【０００３】
会議で用いられた紙媒体上で、紙媒体に記入された領域のうち、会議で用いられた資料と結びついている領域を表示可能とすること、およびその領域を指定することにより、前記資料を特定可能とすること
【課題を解決するための手段】
【０００４】
請求項１記載の発明は、記憶装置と、情報処理装置とを含む情報処理システムであって、前記記憶装置は、会議を識別する情報と、当該会議に参加予定である人物を識別する情報とを関連づける会議情報と、前記会議を識別する情報と、前記会議で使用された資料を識別する資料識別情報と、当該資料の一部を特定する領域情報と、当該資料の一部が利用された日時を特定する日時情報とを関連づけた資料情報とを保持し、前記情報処理装置は、前記記憶装置と通信する通信手段と、利用者を識別する手段と、紙媒体を支持可能な面を有し、予め定められた紙媒体上の複数の領域のいずれかを選択的に照明する選択照明手段と、前記面に支持された紙媒体を識別する媒体識別子を検知する検知手段と、当該検知した媒体識別子に対応する、対応資料識別情報を取得する識別情報取得手段と、前記通信手段を介して、前記記憶装置において識別した利用者が参加予定の人物として関連づけられている会議情報を見出し、当該会議情報における会議を識別する情報に関連づけられた資料識別情報のうち、前記媒体識別子に関係して取得した前記対応資料識別情報に一致する資料識別情報を見出し、当該見出した資料識別情報に関連づけられて記憶されている日時情報と領域情報とを取得する領域情報取得手段と、前記取得した日時情報と領域情報とを用い、指定された日時に対応する日時情報に関連した領域情報を参照し、当該参照した領域情報に対応する領域を照明するよう前記選択照明手段を制御する制御手段と、を含むこととしたものである。
【０００５】
請求項２記載の発明は、情報処理装置であって、会議を識別する情報と、当該会議に参加予定である人物を識別する情報とを関連づける会議情報と、前記会議を識別する情報と、前記会議で使用された資料を識別する資料識別情報と、当該資料の一部を特定する領域情報と、当該資料の一部が利用された日時を特定する日時情報とを関連づけた資料情報とを保持する記憶装置に接続され、前記記憶装置と通信する通信手段と、利用者を識別する手段と、紙媒体を支持可能な面を有し、予め定められた紙媒体上の複数の領域のいずれかを選択的に照明する選択照明手段と、前記面に支持された紙媒体を識別する媒体識別子を検知する検知手段と、当該検知した媒体識別子に対応する、対応資料識別情報を取得する識別情報取得手段と、前記通信手段を介して、前記記憶装置において識別した利用者が参加予定の人物として関連づけられている会議情報を見出し、当該会議情報における会議を識別する情報に関連づけられた資料識別情報のうち、前記媒体識別子に関係して取得した前記対応資料識別情報に一致する資料識別情報を見出し、当該見出した資料識別情報に関連づけられて記憶されている日時情報と領域情報とを取得する領域情報取得手段と、前記取得した日時情報と領域情報とを用い、指定された日時に対応する日時情報に関連した領域情報を参照し、当該参照した領域情報に対応する領域を照明するよう前記選択照明手段を制御する制御手段と、を含むこととしたものである。
【０００６】
請求項３記載の発明は、請求項２記載の情報処理装置であって、紙媒体上で利用者が記入操作を行った記入領域を表す記入領域情報を取得する手段と、前記取得した記入領域情報を表す情報を、当該記入操作の日時に関連づけて記憶する手段と、をさらに含み、前記領域情報取得手段は、前記見出した資料識別情報に関連づけられて前記記憶装置に記憶されている日時情報と領域情報とを取得するとともに、前記記入領域情報と記入操作の日時とを取得し、前記制御手段は、前記取得した日時情報及び領域情報と、前記記入領域情報及び記入操作の日時とを用い、指定された日時に対応する日時情報または記入操作の日時に関連した領域情報または記入領域情報を参照し、当該参照した領域情報または記入領域情報に対応する領域を照明するよう前記選択照明手段を制御することとしたものである。
【０００７】
請求項４記載の発明は、請求項３記載の情報処理装置であって、前記制御手段は、前記領域情報と記入領域情報とのそれぞれに対応する領域を、それぞれ区別可能な態様で照明するよう前記選択照明手段を制御することとしたものである。
【０００８】
請求項５記載の発明は、プログラムであって、会議を識別する情報と、当該会議に参加予定である人物を識別する情報とを関連づける会議情報と、前記会議を識別する情報と、前記会議で使用された資料を識別する資料識別情報と、当該資料の一部を特定する領域情報と、当該資料の一部が利用された日時を特定する日時情報とを関連づけた資料情報とを保持する記憶装置に接続されるコンピュータを、前記記憶装置と通信する通信手段と、利用者を識別する手段と、紙媒体を支持可能な面を有し、予め定められた紙媒体上の複数の領域のいずれかを選択的に照明する選択照明手段と、前記面に支持された紙媒体を識別する媒体識別子を検知する検知手段と、当該検知した媒体識別子に対応する、対応資料識別情報を取得する識別情報取得手段と、前記通信手段を介して、前記記憶装置において識別した利用者が参加予定の人物として関連づけられている会議情報を見出し、当該会議情報における会議を識別する情報に関連づけられた資料識別情報のうち、前記媒体識別子に関係して取得した前記対応資料識別情報に一致する資料識別情報を見出し、当該見出した資料識別情報に関連づけられて記憶されている日時情報と領域情報とを取得する領域情報取得手段と、前記取得した日時情報と領域情報とを用い、指定された日時に対応する日時情報に関連した領域情報を参照し、当該参照した領域情報に対応する領域を照明するよう前記選択照明手段を制御する制御手段と、として機能させることとしたものである。
【発明の効果】
【０００９】
請求項１，２，５記載の発明によると、会議で用いられた紙媒体上で、会議の資料と結びついて記録された場所を表示可能とする。
【００１０】
請求項３記載の発明によると、利用者が別途記入した場所を特定可能とする。
【００１１】
請求項４記載の発明によると、会議の資料と結びついて記録された場所と、利用者が別途記入した場所とを区別可能に表示できる。
【発明を実施するための最良の形態】
【００１２】
本発明の実施の形態について図面を参照しながら説明する。本発明の実施の形態に係る情報処理システムは、図１に例示するように、情報処理装置１と、この情報処理装置１に対してネットワーク等の通信回線を介して接続される記憶装置２とを含む。
【００１３】
ここで情報処理装置１は、制御部１１と、記憶部１２と、操作部１３と、表示部１４と、媒体検知部１５と、通信部１６とを有する。この情報処理装置１は、図２にその外観を例示するように、紙資料Ｐを載せて用いる。ここで紙資料は１枚だけのものであってもよいし、後に説明するように冊子状の資料であっても構わない。しかしながら、まずは簡単のため、紙資料Ｐは１枚だけであるものとして説明を行う。
【００１４】
情報処理装置１は、紙資料Ｐの全体を支持可能なサイズの面Ｓを有している。この面Ｓは、操作部１３として機能している。すなわち操作部１３は、ここでは例えば表示部１４に重ね合わせられた透明電極であり、紙資料Ｐを介して利用者の押圧操作（紙資料Ｐへの書き込みなど）が行われると、当該書き込みの位置を検知する。
【００１５】
なお、操作部１３は、押圧操作を検出する以外にも、電磁誘導パネルを用いてもよい。この場合、利用者が書き込み操作に使用するペンは電磁ペンとなる。
【００１６】
さらに、表示部１４である表示デバイスの各画素に対応する各素子に、操作部１３となる光センサを配してもよい。このときには、ペン先近傍に発光素子を配したペンなどを用いて利用者に紙資料Ｐ上への文字などの記入を行わせ、操作部１３が紙資料Ｐを介して透過した当該ペン先近傍に配した発光素子の光を検出する（そのために発光素子の光は変調されていてもよい）こととしてもよい。すなわち操作部１３は、検出した光の位置により利用者のペンの位置を検出することになる。
【００１７】
表示部１４は、例えば図３に例示するように、少なくとも一枚の紙媒体である紙資料Ｐを仮想的に複数の領域（照明領域）に区切ったとき、各照明領域を単位として、紙資料Ｐを下部から照明可能な程度の解像度を有する。この照明領域の数Ｎは、例えばＮ＝３０程度（３×１０個の領域に区切った場合）でもよい。つまり表示部１４は、これら各照明領域ごとに発光素子（ＬＥＤ（Light Emission Diode）等）を配したものであってもよいし、また、表示部１４は、一般的な液晶表示デバイスや有機ＥＬ（Electro-Luminescence）デバイスなどであってもよい。照明領域の数よりも高解像度の画素を有している場合、画素の点灯・消灯を制御して、対応する照明領域の照明を行うこととすればよい。この場合も、照明は、照明領域を単位として行えばよい。
【００１８】
媒体検知部１５は、面Ｓに支持された紙資料Ｐを識別する識別情報を取得する。この媒体検知部１５の例については後に述べる。
【００１９】
制御部１１は、ＣＰＵ（Central Processing Unit）等のプログラム制御デバイスであり、記憶部１２に格納されたプログラムに従って動作している。この制御部１１は、面Ｓに載せられ、支持された紙資料Ｐを識別する識別情報を、媒体検知部１５から取得する。
【００２０】
また制御部１１は、面Ｓに置かれた紙資料Ｐの面Ｓに対する相対的な位置（想定されている位置からのずれ、回転）を検出する処理や、紙資料Ｐへの書き込みが行われた時刻と領域とを特定する情報の生成・記録指示、記憶装置２において記録されている情報に基づく、紙資料Ｐ上の領域を照明する処理などを実行する。これらの制御部１１の処理の内容については、後に述べる。
【００２１】
記憶部１２は、ＲＡＭ（Random Access Memory）等のメモリ素子を備える。この記憶部１２には制御部１１によって実行されるプログラムが格納される。このプログラムは、例えばＤＶＤ−ＲＯＭなどのコンピュータ可読な記録媒体から読み取られて複写されたものであってもよい。さらにこの記憶部１２は、制御部１１のワークメモリとしても動作する。
【００２２】
記憶部１２にはまた、表示部１４が個別に照明可能な各領域を画定する情報を記憶している。この情報は、例えば各領域の識別子と、各領域の頂点座標（領域が矩形の領域である場合、領域の左上座標と右下座標）とを関連づけたものでよい。
【００２３】
通信部１６は、例えば無線ＬＡＮ（Local Area Network）インタフェースであり、ネットワーク等の通信回線を介し、制御部１１からの指示に従って記憶装置２との間で情報の送受を行う。
【００２４】
記憶装置２は、図４に示すように、制御部２１と、記憶部２２と、通信部２３とを含んで構成される。制御部２１は、ＣＰＵ（Central Processing Unit）等のプログラム制御デバイスであり、記憶部２２に格納されたプログラムに従って動作している。ここで制御部２１は、情報処理装置１から受信される指示に従って資料情報を記録する。また、この制御部２１は、情報処理装置１から受信する要求に応じて、資料情報の少なくとも一部を当該要求元の情報処理装置１へ送出する。この制御部２１の動作については後に述べる。
【００２５】
記憶部２２は、ＲＡＭ（Random Access Memory）等のメモリ素子やディスクデバイスなどを備える。この記憶部２２には制御部２１によって実行されるプログラムが格納される。このプログラムは、例えばＤＶＤ−ＲＯＭなどのコンピュータ可読な記録媒体から読み取られて複写されたものであってもよい。さらにこの記憶部２２は、制御部２１のワークメモリとしても動作する。
【００２６】
本実施の形態において、この記憶部２２には、会議を識別する情報と、当該会議に参加予定である人物を識別する情報とを関連づける会議情報を格納している（図５（ａ））。また、この会議情報には、さらに、当該会議の開催日時（開始日時及び終了日時）が関連づけられていてもよい（図５（ｂ））。
【００２７】
また記憶部２２は、会議を識別する情報と、会議で用いられる資料を識別する資料識別情報と、当該資料の一部を特定する領域情報と、当該資料の一部が利用された日時を特定する日時情報とを関連づけた資料情報を保持している（図６（ａ）、図６（ｂ））。なお、図６（ａ）では領域情報として座標の範囲を表す情報を用いた例を示し、図６（ｂ）では領域情報としてページの情報を用いた例を示している。
さらに本実施の形態では、領域情報としてページを表す情報と座標の範囲を表す情報とを組み合わせてもよい。
【００２８】
通信部２３は、情報処理装置１から受信する情報を制御部２１に出力する。また、この通信部２３は、制御部２１から入力される指示に従って、指示された情報を情報処理装置１へ送信する。
【００２９】
［資料情報の登録］
本実施の形態では、記憶部２２には、予め、行われる予定の会議を識別する情報（会議識別情報）と、その参加予定の人物を特定する情報（参加者名など）とが関連づけて会議情報として格納される。
【００３０】
またこの記憶装置２の制御部２１は、会議の開催中に、資料の発表者のパーソナルコンピュータ等から、発表に用いている資料で注目するべき部分を表す情報を逐次的に受信することとしてもよい。
【００３１】
すなわち、会議における資料発表者は、自分の発表用資料のうち、注目するべき部分を指示してから当該部分の発表を行う。例えば製品の販売状況を説明する資料であれば、当該製品の説明、販売時期、販売数量の推移…などという順に資料が作られ、当該資料に沿って発表が行われる。このとき発表者は製品の説明を行うときには当該部分を指定して注目するように述べ、それから当該部分の説明を行う。次いで、販売時期の部分を指定して注目するように述べ、当該部分の説明を行う…というようにする。
【００３２】
発表者のパーソナルコンピュータ側では、資料の画像上で発表者が注目するように述べた部分を表す情報（注目するよう述べた部分を囲む矩形等を画定する座標情報など）を生成して、記憶装置２へ送信する。このようにするためには、例えば資料の画像上で、予め意味のある部分ごとの領域を表す情報を生成しておき、利用者がどの領域に注目するべきかをマウスなどで指定し、パーソナルコンピュータは、資料を特定する情報（当該資料が複数頁ある場合は、頁数の情報を含む）と、当該指定された領域を表す情報とを送信するというようにしておけばよい。
【００３３】
記憶装置２の制御部２１は、ネットワークなどの通信手段を介して、資料を特定する情報と領域を特定する情報との入力を受け入れると、受入元のパーソナルコンピュータの利用者（発表者）名を取得する。この利用者名の取得は、例えば事前に当該パーソナルコンピュータから利用者名等の認証情報を受け入れ、パーソナルコンピュータのネットワークアドレス等に関連づけて利用者名を記憶しておき、情報の送信元であるパーソナルコンピュータのネットワークアドレス等に関連づけられた利用者名を読出すこととすればよい。
【００３４】
制御部２１は、取得した利用者名に関連づけられた会議識別情報を会議情報から検索する。そして検索により見出された会議識別情報に関連づけて、資料を特定する情報（当該資料が複数頁ある場合は、頁数の情報を含む）と、上記指定された領域を表す領域情報と、情報を受け入れた日時（図示しない時計部から取得する）とを関連づけて、記憶部２２に蓄積して記録する。なお、このとき制御部２１は、当該資料の名称など資料の内容を表す情報を受け入れて、これらに関連づけて保持しても構わない。
【００３５】
［媒体検知部の例］
次に、情報処理装置１における媒体検知部１５の例について述べる。媒体検知部１５は、紙資料Ｐを特定する識別情報を、無線タグ（ＲＦＩＤ（Radio Frequency IDentification））や、紙媒体ごとに固有の繊維パターンに基づく情報や、紙媒体上に記録された情報（例えばバーコードなど）により、面Ｓに支持されている紙資料Ｐの識別情報を取得する。
【００３６】
例えば、個々の紙資料Ｐに予め、固有の識別情報を記録した無線タグが付されている場合、本実施の形態に係る情報処理装置１は、面Ｓに載せられた紙資料Ｐに付された無線タグから識別情報を取得する。つまりこの場合の媒体検知部１５は、無線タグの情報読み取り装置として機能する。さらに媒体検知部１５としての無線タグの情報読み取り装置は複数あってもよい。
【００３７】
また、紙の繊維の構造が、紙ごとに異なっていることを利用して、紙資料Ｐの予め定められた部分における紙繊維の構造に基づき、紙資料Ｐを識別する識別情報を生成してもよい。この場合、媒体検知部１５は、上記予め定められた部分の紙繊維の構造を撮像するカメラとして機能する。
【００３８】
さらに、媒体検知部１５は、表示部１４または操作部１３と同じ面に配列された複数の受光素子を備えてもよい。この場合、媒体検知部１５は、紙資料Ｐが面Ｓに載せられると、当該紙資料Ｐの面Ｓ側の面全体を撮像することとなる。そこで、予め紙資料Ｐの面Ｓ側に向く面に、紙資料Ｐごとに異なる識別情報を表したコンピュータ可読な符号画像（バーコードなど）を形成しておいてもよい。このときには、媒体検知部１５は、撮像した紙資料Ｐの面からこの符号画像を検出し、当該符号画像の表す識別情報を出力することになる。
【００３９】
［紙資料の位置ずれの検知］
次に、制御部１１による紙資料Ｐと面Ｓとの相対的位置のずれ検知の処理について述べる。この処理では、
（１）予め紙資料側に形成したマークを利用者にポイントさせ、又はなぞらせて、当該操作により位置ずれを検知する
（２）予め紙資料側に形成した欄に利用者に文字列などを記入させ、当該記入の操作により位置ずれを検知する
（３）予め紙資料の表裏対応する位置に、それぞれ利用者のポイント位置と、所定位置ずれ検出用の所定パターンとを形成しておき、利用者がポイント位置をポイントすると、それに対応して裏面側に形成された位置ずれ検出用の所定パターンを読み取って位置ずれを検知する
（４）無線タグを用いる
のいずれかの処理を行えばよい。以下、各処理について説明する。
【００４０】
（１）マークをポイントまたはなぞらせる例
ここで紙資料Ｐ側に形成するマークは、例えば図７（ａ）に示すように、紙資料Ｐの辺に平行にならない線分上にある予め定められた複数の点（例えばＭ１，Ｍ２）に形成したＸ字状（または十字など中心点のわかる形状）のマークでよい。これらのマークは、例えば紙資料Ｐの左下の頂点を原点として、短辺の方向をＸ軸、長辺の方向をＹ軸として（M1x,M1y），（M2x,M2y）の座標を中心点として表すマークとして予め定められているものとする。
【００４１】
制御部１１は、利用者がこれらの予め定められた複数の位置で、その中心をペンなどでポイントする（記入を行う）と、その記入操作が行われた位置（面Ｓ上のＭ１，Ｍ２に対応する各座標μ１，μ２）を記入内容として操作部１３によって検出する。そして当該検出した座標により、紙資料Ｐの面Ｓに対する相対位置を検知する。すなわち、制御部１１は、紙資料Ｐ上の点（ｘ，ｙ）と、面Ｓ上の点（ξ，η）とを関連づけるパラメータを生成する。具体的に、紙資料Ｐと面Ｓとの位置ずれは、回転と平行移動との組み合わせであるものとすれば、座標Ｍ１（M1x,M1y），Ｍ２（M2x,M2y），μ１（μ1ξ,μ1η），μ２（μ2ξ,μ2η）と、回転角度θ、平行移動量（α，β）とを用いて、
【数１】
2009294847.tif 000003
の２式をともに満足するθ，α，βを求めることで、紙資料Ｐ上の点（ｘ，ｙ）と面Ｓ上の点（ξ，η）とを関連づける変換式、
【数２】
2009294847.tif 000004
を得る。
【００４２】
また制御部１１は、この変換式（便宜的に第１変換式と呼ぶ）を用いて、面Ｓ上の点（ξ，η）を紙資料Ｐ上の点（ｘ，ｙ）に変換する第２変換式を得ておく。
【００４３】
制御部１１は、この変換式を得た後、利用者が書き込みを行って、操作部１３を押圧すると、操作部１３の押圧位置から第２変換式を用いて、紙資料Ｐ上のどの領域内に書き込みをしているかを検知する。
【００４４】
ここでは図８に示すように、紙資料Ｐ上に予め仮想的な領域を設定しておくものとする。各領域Ｒ１，Ｒ２…は、ここでは矩形であるものとし、領域Ｒiの左上座標は、ＲiL(ＲiLx，ＲiLy）とし、右下座標はＲiR（ＲiRx，ＲiRy）であるものとする。制御部１１は、操作部１３において押圧が検出されると、次に押圧が検出されずに予め定めた時間が経過するまで（利用者が押圧操作を中断するまで）の間に検出した押圧位置（ξ，η）の最小値（ξmin，ηmin）、最大値（ξmax，ηmax）を記録しておく。そしてこれら最小値、最大値を第２変換式を用いて、紙資料Ｐ上の点ＬＴ（ｘmin，ｙmin），ＲＢ（ｘmax，ｙmax）にそれぞれ変換する。そして、このＬＴ，ＲＢの座標を含む領域、すなわち
ＲiL＜ＬＴ≦ＲiR（またはＲiL≦ＬＴ＜ＲiRでもよい）
ＲjL＜ＲＢ≦ＲjR（またはＲjL≦ＲＢ＜ＲjRでもよい）
となるｉ，ｊを見いだす。これにより制御部１１は、利用者が書き込みをした範囲の左上端を含む領域Ｒｉと、右下端を含む領域Ｒｊとを見いだす。制御部１１は、また、操作部１３において押圧が検出されていた時刻（押圧検出の開始時刻と、最後に押圧検出した終了時刻）とを図示しない時計部から読み出して記憶しておき、これら開始時刻及び終了時刻を含む時刻情報と、上記見いだした領域Ｒｉと領域Ｒｊとを特定する情報（領域情報）と、紙資料Ｐの識別情報とを関連づけて記憶するよう、記憶装置２に対して指示を送信する。
【００４５】
また、ここでは複数の互いに異なる位置で行われた記入内容に基づいて紙資料Ｐと面Ｓとの相対的位置を検知する例としたが、例えば図７（ｂ）に示すように、紙資料Ｐの予め定められた位置Ｍにおいて、利用者に異方性のある図形などを記入させ、その記入内容に基づいて、紙資料Ｐと面Ｓとの相対位置を検知してもよい。
【００４６】
ここで異方性のある図形とは、少なくとも回転・平行移動に対して非対称であるような図形である。一例として図７（ｂ）ではＶ字状の例を示している。利用者がこの図形をなぞると、操作部１３からの入力により、制御部１１はＶ字を構成する線分の面Ｓに対する向き及び位置等を検出する。そしてその検出結果によって紙資料Ｐの面Ｓに対する回転角度と平行移動位置とを演算によって求める。
【００４７】
この場合も制御部１１は、第１、第２の変換式を得ることとなり、制御部１１は、これらの変換式を用いて利用者が書き込みをした範囲の左上端を含む領域Ｒｉと、右下端を含む領域Ｒｊとを見いだす。そして、開始時刻及び終了時刻を含む時刻情報と、上記見いだした領域Ｒｉと領域Ｒｊとを特定する情報（領域情報）と、紙資料Ｐの識別情報とを関連づけて記憶するよう、記憶装置２に対して指示を送信する。
【００４８】
（２）利用者に文字列などを記入させ、当該記入の操作により位置ずれを検知する例
また本実施の形態において、紙資料Ｐには、図９に示すように予め定められた領域に、利用者に記入を行わせる欄Ｗを設けておいてもよい。そして制御部１１が、この領域内において利用者がした記入の内容に基づいて紙資料Ｐと面Ｓとの相対位置を検知してもよい。
【００４９】
すなわちこの例では制御部１１は、利用者がこの欄Ｗのうちで記入した文字等に外接する矩形を画定する（図１０）。そしてこの外接矩形の各辺が面Ｓの軸に対してどれだけ傾いているかによって回転を検出する。また、外接矩形の重心など外接矩形から求められる、外接矩形内外の点に基づいて平行移動量を推定する。例えば外接矩形の重心が欄Ｗの重心に一致すると仮定して、欄Ｗの重心を外接矩形の重心であると推定し、欄Ｗの重心（事前に定められている欄Ｗの位置から求めることができる）と、それに対応する面Ｓ上の座標とにより、制御部１１は第１、第２の変換式を得ればよい。
【００５０】
以下、先の例と同様に、制御部１１は、これらの変換式を用いて利用者が書き込みをした範囲の左上端を含む領域Ｒｉと、右下端を含む領域Ｒｊとを見いだす。そして、開始時刻及び終了時刻を含む時刻情報と、上記見いだした領域Ｒｉと領域Ｒｊとを特定する情報（領域情報）と、紙資料Ｐの識別情報とを関連づけて記憶するよう、記憶装置２に対して指示を送信する。
【００５１】
さらに、このように利用者に文字列等を記入させる場合、紙資料ごとに異なる文字列等を記入させることとしてもよい。この場合、紙資料Ｐの予め定めた位置に、記入するべき文字列等の画像を予め形成しておく。そして利用者に当該画像に従って文字列等を記入させる。
【００５２】
一方、例えば記憶装置２において、紙資料Ｐの識別情報と、記入された文字列等の特徴量とを関連づけるテーブルを記憶させておき、制御部１１は、記入された文字列等の特徴量を抽出して、当該抽出した特徴量に関連づけられた識別情報を記憶装置２から取得する。これにより、記入内容から紙資料Ｐの識別情報を取得することとしてもよい。この場合、媒体検知部１５は必ずしも必要ではない。
【００５３】
（３）紙資料上に形成されたパターンを利用する例
この場合は、操作部１３として光センサを用いる。操作部１３は、面Ｓに置かれた紙資料の裏面側（利用者が記入をする面の裏側）を撮像する。また、紙資料の裏側の予め定めた位置に、傾き角度を検出可能なバーコードなどの符号画像を形成しておく。このような符号画像の例としては、例えばＱＲコードがある。制御部１１は、操作部１３が撮像した紙資料Ｐの裏面の映像からＱＲコードの位置及び傾きを検出する。そして、当該検出した傾きと位置とにより、上記第１、第２の変換式を得ればよい。
【００５４】
以下、先の例と同様に、制御部１１は、これらの変換式を用いて利用者が書き込みをした範囲の左上端を含む領域Ｒｉと、右下端を含む領域Ｒｊとを見いだす。そして、開始時刻及び終了時刻を含む時刻情報と、上記見いだした領域Ｒｉと領域Ｒｊとを特定する情報（領域情報）と、紙資料Ｐの識別情報とを関連づけて記憶するよう、記憶装置２に対して指示を送信する。
【００５５】
なお、この例のように符号画像を用いる場合は、符号画像が、紙資料Ｐの識別情報を記録したものであってもよい。このようにするときには、制御部１１は、ＱＲコードをデコードすることで識別情報を得ることができる。従って、このような場合、媒体検知部１５は必ずしも必要ではない。
【００５６】
なお、ＱＲコードを紙資料Ｐの裏面全面から検出することが困難であるなどの場合は、ＱＲコードの位置を利用者が特定するようにしてもよい。例えば、ＱＲコードが形成されている位置に対応する表側の位置に、マークなどを形成しておき、利用者に、当該マークの位置で記入操作を行わせることとしてもよい。制御部１１は、記入操作を受けて、当該記入操作が行われた位置を含む予め定めた範囲の領域からＱＲコードを検出してもよい。
【００５７】
また、ここで述べたような液晶ディスプレイと光センサとを組み合わせたデバイスを用い、利用者に紙資料Ｐ上で予め定めた複数の点をペンなどで指し示させ、その面Ｓ上での座標を検出して、第１、第２の変換式を得ることとしてもよい。
【００５８】
さらに、紙資料Ｐの表面（面Ｓ側とは反対の面）に形成された画像を紙資料Ｐを透かして認識できる場合は、操作部１３である光センサは、当該紙資料Ｐの表側に形成されたＱＲコードなどの画像を撮像し、当該撮像した画像から相対位置や識別情報を検出してもよい。
【００５９】
（４）無線タグを用いる例
さらに、無線タグを用いて紙資料Ｐの面Ｓに対する傾き及び位置（相対位置）を検出してもよい。この例では、紙資料Ｐの複数の位置（例えば紙資料の中央からやや右よりの上下）にそれぞれ無線タグＱ，Ｒを配する。
【００６０】
また、面Ｓの基準位置（予定されている位置）に紙資料Ｐが配されたときに、無線タグＱ，Ｒがそれらの中心に位置することとなるよう、複数の無線タグリーダーをマトリクス状にして各位置に配する（図１１（ａ）のＡからＤ、及びＥからＨ）。面Ｓの基準位置に紙資料Ｐが置かれると、図１１（ｂ）に示すように、無線タグＱは、無線タグリーダーＡからＤにより形作られる２×２のマトリクス略中央に位置し、無線タグＲは、無線タグリーダーＥからＨにより形作られる２×２のマトリクス略中央に位置する。従って、無線タグリーダーＡからＤは、無線タグＱからの情報を略同強度で受信することとなる（Ａ＝Ｂ＝Ｃ＝Ｄ）。また無線タグリーダーＥからＨは、無線タグＲからの情報を略同強度で受信することとなる（Ｅ＝Ｆ＝Ｇ＝Ｈ）。
【００６１】
しかし、紙資料Ｐが面Ｓに対して傾いて置かれると（図１１（ｃ））、各無線タグリーダーが無線タグから受信する情報の強度が変化する。図１１（ｃ）の例では、Ａ＞Ｂ＞Ｃ＞Ｄ、Ｆ＞Ｅ＞Ｈ＞Ｇの順にそれぞれ無線タグＱ，Ｒからの信号強度が弱くなる。
【００６２】
また紙資料Ｐが面Ｓの基準位置に対して平行移動された位置に置かれた場合（図１１（ｄ））も同様に、各無線タグリーダーが無線タグから受信する情報の強度が変化する。そこで制御部１１は、各無線タグリーダーが無線タグから受信する情報の強度と、無線タグリーダーの配置位置の情報とから、紙資料Ｐの傾きと平行移動量とを推定する。
【００６３】
この例では、制御部１１は、無線タグからの信号強度と無線タグリーダーからの距離との相関関係に基づいて、各無線タグリーダーでの受信信号強度に基づいて無線タグまでの距離を算出し、三角測量と同様の原理により面Ｓの座標系で表した、紙資料Ｐ上の無線タグの位置を取得し、これと、紙資料Ｐの座標系で表した無線タグの位置（予め定められている）との比較によって上記第１、第２の変換式を得てもよい。
【００６４】
また、無線タグリーダーＡからＤの受信強度のうち、最大のものと最小のものとの差が予め定めたしきい値にないか、または、無線タグリーダーＥからＨの受信強度のうち、最大のものと最小のものとの差が予め定めたしきい値にない場合は、基準位置からのずれが大きいものと判定して、基準位置に紙資料Ｐを戻すよう警告する処理（音声を鳴動するなどの処理）を行ってもよい。後者の場合、利用者に対して紙資料Ｐを基準位置に配させることとなるので、変換式は不要となる。
【００６５】
［紙資料上での書き込み位置の検知］
次に、制御部１１による書き込み検知処理について説明する。制御部１１は、過去に押圧の検出が終了した時点から予め定めた時間ΔＴが経過した後、操作部１３において押圧が検出されると、その時点での時刻の情報Ｔｓを図示しない時計部から取得して記憶する。また制御部１１は、最後に押圧が検出された時点の時刻の情報Ｔｅも時計部から取得して記憶する。制御部１１は、押圧が検出されずに予め定めた時間ΔＴが経過すると（利用者が押圧操作を中断すると）、時刻ＴｓからＴｅまでの間に操作部１３にて検出した押圧位置（ξ，η）の最小値（ξmin，ηmin）、最大値（ξmax，ηmax）を演算する。
【００６６】
そして最小値（ξmin，ηmin）、最大値（ξmax，ηmax）を、事前に得た第２変換式を用いて紙資料Ｐの座標系（ｘ，ｙ）に変換し、対応する最小値（ｘmin，ｙmin）、最大値（ｘmax，ｙmax）を得る。制御部１１は、予め検知した紙資料Ｐの識別情報と、書き込みが開始された時刻（会議開始からの経過時間でよい）の情報Ｔｓと、終了した時刻の情報Ｔｅと、ここで得られた座標の最小値（ｘmin，ｙmin）及び、最大値（ｘmax，ｙmax）（以下、領域情報と呼ぶ）とを関連づけて、記憶部１２に格納する（図１２）。
【００６７】
［ページ検知］
なお、複数の紙資料Ｐが面Ｓ上に置かれる場合、最上の紙資料Ｐの無線タグからの信号を識別するために、ここでの無線タグリーダー及び無線タグは、コリジョンフリー（衝突防止機能）対応のものとする。また紙資料Ｐは、頁順が変更されないように、少なくとも一カ所で綴じられているものとする。そして無線タグは、要求に応じて、紙資料Ｐの頁番号を表す情報を無線タグリーダーに送信する。
【００６８】
利用者は、綴じられた紙資料Ｐをめくる場合、めくった頁の紙資料Ｐを、本実施の形態の情報処理装置１の裏側へ巻き込む（図１３（ａ））。これにより、めくった頁の紙資料Ｐに付されている無線タグの情報が、無線タグリーダーに読み取られないようにする。ここでは図１３（ｂ）に例示するように、左側を綴じ位置Ｘとし、この綴じ位置Ｘで綴じられている紙資料Ｐの右側上部及び下部にそれぞれ無線タグＱ，Ｒを配することとする。この場合、めくられた頁の無線タグＴは、情報処理装置１の面Ｓの裏面側に回り込んでしまうので、面Ｓ上で、紙資料Ｐの右下端側に配された無線タグリーダーによって読み取られることがない。
【００６９】
従って制御部１１は、面Ｓ上にある少なくとも一つの紙資料Ｐの無線タグＱ，Ｒの情報をそれぞれ読み取ることになる。そして頁をめくったことによって面Ｓ上で最上にある頁は、最も頁番号の小さい頁となるので、制御部１１は、読み取った無線タグＱ，Ｒのうち、最小の頁番号を送信する無線タグＱ，Ｒが最上の紙資料Ｐに付された無線タグＱ，Ｒであるとし、当該無線タグＱ，Ｒの位置を無線タグリーダー群Ａ，Ｂにより特定し、最上の紙資料Ｐの面Ｓに対する傾きと平行移動量とを推定する。
【００７０】
この例では、制御部１１は、無線タグからの信号強度と無線タグリーダーからの距離との相関関係に基づいて、各無線タグリーダーでの受信信号強度に基づいて無線タグまでの距離を算出し、三角測量と同様の原理により面Ｓの座標系で表した、最上の紙資料Ｐ上の無線タグの位置を取得し、これと最上の紙資料Ｐの座標系で表した無線タグの位置（予め定められている）との比較によって上記第１、第２の変換式を得てもよい。
【００７１】
また、無線タグリーダー群Ａ，Ｂに属する無線タグリーダーの受信強度のうち、最大のものと最小のものとの差が予め定めたしきい値にない場合は、基準位置からのずれが大きいものと判定して、基準位置に最上の紙資料Ｐを戻すよう警告する処理（音声を鳴動するなどの処理）を行ってもよい。後者の場合、利用者に対して最上の紙資料Ｐを基準位置に配させることとなるので、変換式は不要となる。
【００７２】
さらに、本実施の形態のある例では、複数葉の紙資料Ｐが冊子状に綴じられて用いられる。この場合、冊子状に綴じられた紙資料Ｐを面Ｓに載せることになる。利用者は、面Ｓ上で、冊子状になった紙資料Ｐをめくって、必要なページを開くことになる。この例では図１４に示すように、各頁の小口側（綴じられている辺と反対側の辺）上端部及び下端部に、頁を表す情報を送信する無線タグＱ，Ｒをそれぞれ付す。小口側に配すると、背側に配するよりも見開きの各頁に付された無線タグ間の距離が大きくなる。
【００７３】
本実施の形態の情報処理装置１の面Ｓの四隅には、図１５に示すように、２×２のマトリクス状に配列した無線タグリーダー群（ＡからＤ）をそれぞれ配しておく。冊子状に綴じられた媒体において小口側の上下端部にそれぞれ配した無線タグが送信する情報を受信する。
【００７４】
このように冊子状に綴じられた例では、紙資料Ｐの両面に印刷が行われるため、各紙資料Ｐに付された無線タグＱ，Ｒは、頁数の情報として表裏両側の頁の数値（連続した二数）を送信することになる。また、この場合は、表裏各頁に個別に媒体識別情報を設定しておき、各頁の値に関連づけておく。
【００７５】
情報処理装置１では、見開き左側の紙資料Ｐの無線タグＱ，Ｒを読み取る無線タグリーダー群Ａ，Ｄ（以下、左側リーダー群と呼ぶ）と、見開き右側の紙資料Ｐの無線タグＱ，Ｒを読み取る無線タグリーダー群Ｂ，Ｃ（以下、右側リーダー群と呼ぶ）とが無線タグから読み取った頁数の情報を参照して、次の処理を行う。
【００７６】
まず、情報処理装置１は、左側リーダー群で読み取った頁数の最大値ＰLmaxと、右側リーダー群で読み取った頁数の最大値ＰRmaxとを比較し、ＰLmax＜ＰRmaxであれば、当該冊子は左から右へ読み進める（左から右へノンブルが増えていく）、左開きの冊子であると判定する。またＰLmax＞ＰRmaxであれば、情報処理装置１は、右開きの冊子であると判定する。
【００７７】
情報処理装置１は、冊子が左開きであると判定すると、左側リーダー群で無線タグから読み取る頁数のうち最大のもの（ＰLmax）を、見開き左側で最上の紙資料Ｐの頁であると判定し、当該ＰLmaxに関連づけられた媒体識別情報を、見開き左側で最上の紙資料Ｐの媒体識別情報ＩＤLとして取得する。また、このように冊子が左開きであると判定した場合、右側リーダー群で無線タグから読み取る頁数のうち最小のもの（ＰRmin）を、見開き右側で最上の紙資料Ｐの頁であると判定し、当該ＰRminに関連づけられた媒体識別情報を、見開き右側で最上の紙資料Ｐの媒体識別情報ＩＤRとして取得する。
【００７８】
そして情報処理装置１は、無線タグリーダー群Ａ，Ｄに属する無線タグが、頁数ＰLmaxを送信する無線タグＱ，Ｒから受ける信号の強度に基づいて見開き左側の紙資料Ｐの、面Ｓに対する傾きや平行移動量を推定する。また情報処理装置１は、無線タグリーダー群Ｂ，Ｃに属する無線タグが、頁数ＰRminを送信する無線タグＱ，Ｒから受ける信号の強度に基づいて見開き右側の紙資料Ｐの、面Ｓに対する傾きや平行移動量を推定する。
【００７９】
さらに情報処理装置１は、冊子が右開きであると判定すると、左側リーダー群で無線タグから読み取る頁数のうち最小のもの（ＰLmin）を、見開き左側で最上の紙資料Ｐの頁であると判定し、当該ＰLminに関連づけられた媒体識別情報を、見開き左側で最上の紙資料Ｐの媒体識別情報ＩＤLとして取得する。また、このように冊子が右開きであると判定した場合、右側リーダー群で無線タグから読み取る頁数のうち最大のもの（ＰRmax）を、見開き右側で最上の紙資料Ｐの頁であると判定し、当該ＰRmaxに関連づけられた媒体識別情報を、見開き右側で最上の紙資料Ｐの媒体識別情報ＩＤRとして取得する。
【００８０】
このとき情報処理装置１は、無線タグリーダー群Ａ，Ｄに属する無線タグが、頁数ＰLminを送信する無線タグＱ，Ｒから受ける信号の強度に基づいて見開き左側の紙資料Ｐの、面Ｓに対する傾きや平行移動量を推定する。また情報処理装置１は、無線タグリーダー群Ｂ，Ｃに属する無線タグが、頁数ＰRmaxを送信する無線タグＱ，Ｒから受ける信号の強度に基づいて見開き右側の紙資料Ｐの、面Ｓに対する傾きや平行移動量を推定する。
【００８１】
このように、冊子状に綴じられている場合、見開き左側の最上の紙資料Ｐに対応する第１、第２の変換式と、見開き右側の最上の紙資料Ｐに対応する第１、第２の変換式とが規定される。
【００８２】
本実施の形態では、書き込み位置の検知や、照明処理において用いられる紙資料Ｐの識別情報は、つねに最上の紙資料Ｐの識別情報であるとする。
【００８３】
［紙媒体上での書き込み位置の検知］
次に、制御部１１による書き込み検知処理について説明する。制御部１１は、過去に押圧の検出が終了した時点から予め定めた時間ΔＴが経過した後、操作部１３において押圧が検出されると、その時点での時刻の情報Ｔｓを図示しない時計部から取得して記憶する。また制御部１１は、最後に押圧が検出された時点の時刻の情報Ｔｅも時計部から取得して記憶する。制御部１１は、押圧が検出されずに予め定めた時間ΔＴが経過すると（利用者が押圧操作を中断すると）、時刻ＴｓからＴｅまでの間に操作部１３にて検出した押圧位置（ξ，η）の最小値（ξmin，ηmin）、最大値（ξmax，ηmax）を演算する。
【００８４】
そして最小値（ξmin，ηmin）、最大値（ξmax，ηmax）を、事前に得た第２変換式を用いて最上の紙資料Ｐの座標系（ｘ，ｙ）に変換し、対応する最小値（ｘmin，ｙmin）、最大値（ｘmax，ｙmax）を得る。制御部１１は、予め検知した最上の紙資料Ｐの識別情報と、書き込みが開始された時刻の情報Ｔｓと、終了した時刻の情報Ｔｅと、ここで得られた座標の最小値（ｘmin，ｙmin）及び、最大値（ｘmax，ｙmax）（以下、領域情報と呼ぶ）とを関連づけて、記憶部１２に蓄積させる（図１２）。
【００８５】
また、紙資料Ｐが冊子状に綴じられている場合、制御部１１は、見開き左側と見開き右側のどちらの紙資料Ｐへ書き込みが行われたかを押圧位置から判断する。例えば、押圧位置の検出可能範囲が（０，０）から（Ξ，Η）までであるとすると、（０，０）から（Ξ／２，Η）までを仮想見開き左側頁範囲、（Ξ／２，０）から（Ξ，Η）までを仮想見開き右側頁範囲として、仮想見開き左側頁範囲を、見開き左側の最上の紙資料Ｐの傾き及び平行移動量に基づいてアフィン変換し、図１６に示すように、推定見開き左側頁範囲の左上端座標（ΞLTL，ΗLTL），右上端座標（ΞRTL，ΗRTL），左下端座標（ΞLBL，ΗLBL），右下端座標（ΞRBL，ΗRBL）を得る。同様に仮想見開き左側頁範囲を、見開き左側の最上の紙資料Ｐの傾き及び平行移動量に基づいてアフィン変換し、推定見開き左側頁範囲の左上端座標（ΞLTR，ΗLTR），右上端座標（ΞRTR，ΗRTR），左下端座標（ΞLBR，ΗLBR），右下端座標（ΞRBR，ΗRBR）を得る。
【００８６】
なお、図１６では、左側見開き頁の右側辺上の頂点、右上端座標（ΞRTL，ΗRTL）及び右下端座標（ΞRBL，ΗRBL）と、右側見開き頁の左側辺上の頂点、左上端座標（ΞLTR，ΗLTR）及び左下端座標（ΞLBR，ΗLBR）とがそれぞれ一致していないが、これらは例えば、
（ΞLTR，ΗLTR）＝（ΞRTL，ΗRTL）
（ΞLBR，ΗLBR）＝（ΞRBL，ΗRBL）
と右側見開き頁の左側辺上の各頂点の座標を設定して一致させてもよい。なお、逆に、左側見開き頁の右側辺上の各頂点の座標を、推定右側見開き頁の左側辺上の対応する頂点の座標に設定しても構わない。
【００８７】
制御部１１は、書き込みのあった座標、すなわち押圧位置（ξ，η）の最小値（ξmin，ηmin）、最大値（ξmax，ηmax）が、上記推定見開き左側頁範囲と、推定見開き右側頁範囲とのそれぞれに重なり合う部分の面積（重なり合わない場合、「０」とする）を算出する。そして、推定見開き左側頁範囲に重なり合う部分の面積ＡLと、推定見開き右側頁範囲に重なり合う部分の面積ＡRとを比較し、
ＡL＞ＡR
であれば、見開き左側の頁に書き込みをしていると判断する。そして最小値（ξmin，ηmin）、最大値（ξmax，ηmax）を、事前に見開き左側頁の紙資料Ｐについて得た第２変換式を用いて見開き左側の最上の紙資料Ｐの座標系（ｘ，ｙ）に変換し、対応する最小値（ｘmin，ｙmin）、最大値（ｘmax，ｙmax）を得る。制御部１１は予め検知した見開き左側の最上の紙資料Ｐの識別情報と、書き込みが開始された時刻の情報Ｔｓと、終了した時刻の情報Ｔｅと、ここで得られた座標の最小値（ｘmin，ｙmin）及び、最大値（ｘmax，ｙmax）（以下、領域情報と呼ぶ）とを関連づけて、記憶部１２に蓄積させる（図１２）。
【００８８】
一方、
ＡL＜ＡR
であれば、見開き右側の頁に書き込みをしていると判断する。そして最小値（ξmin，ηmin）、最大値（ξmax，ηmax）を、事前に見開き右側頁の紙資料Ｐについて得た第２変換式を用いて見開き右側の最上の紙資料Ｐの座標系（ｘ，ｙ）に変換し、対応する最小値（ｘmin，ｙmin）、最大値（ｘmax，ｙmax）を得る。制御部１１は予め検知した見開き右側の最上の紙資料Ｐの識別情報と、書き込みが開始された時刻の情報Ｔｓと、終了した時刻の情報Ｔｅと、ここで得られた座標の最小値（ｘmin，ｙmin）及び、最大値（ｘmax，ｙmax）（以下、領域情報と呼ぶ）とを関連づけて、記憶部１２に蓄積させる（図１２）。
【００８９】
なお、
ＡL＝ＡR
である場合は、予め定めた左または右側のどちらかの頁に書き込みをしていると判断を行ってもよいし、エラーとして処理を中断してもよい。
【００９０】
［紙資料と資料との関連付け］
情報処理装置１の制御部１１は、面Ｓに置かれた紙資料Ｐから検知した識別情報と、記憶装置２において格納されている資料識別情報とを関連づける処理を行う。制御部１１は、面Ｓに置かれた紙資料Ｐから識別情報を検知すると、図１７に示す処理を開始し、制御部１１は、記憶装置２と通信を行い（Ｓ１）、記憶装置２に格納されている会議情報のうち、参加予定の人物に当該利用者を含む会議情報を検索する（Ｓ２）。制御部１１は、検索により見いだされた会議情報の数が「１」であるか否かを判断し（Ｓ３）、「１」であれば（会議情報が１つだけ見いだされた場合）、当該見いだされた会議情報に含まれる資料の数をカウントする（Ｓ４）。制御部１１は、ここでカウントした資料の数が「１」であるか否かを判断し（Ｓ５）、資料の数が「１」であれば、面Ｓに置かれている紙資料Ｐの識別情報と、見いだした一つの資料の資料識別情報とを関連づけて、記憶部１２に格納して（Ｓ６）、処理を終了する。なお、複数ページからなり、各ページの紙資料Ｐの識別情報が得られている場合は、そのすべてを関連づける。この場合、各紙資料Ｐの識別情報に対して、頁数の情報（何頁目の紙資料Ｐであるかを表す情報）をそれぞれ関連づけてもよい。
【００９１】
一方、処理Ｓ５において、資料の数が「２」より大きければ（複数あれば）、利用者に対して資料の一覧を提示して、選択させる（Ｓ７）。このために記憶装置２において、資料の名称など資料の内容を表す情報が資料識別情報に関連づけて記録されていれば、制御部１１は、当該資料の名称の一覧を提示してもよい（図１８）。利用者は、この一覧から、面Ｓに置かれている紙資料Ｐに対応する資料を一つ選択する操作を行う。制御部１１は、当該選択を受け入れて、選択された資料の資料識別情報と、面Ｓに置かれている紙資料Ｐの識別情報（複数ページからなり、各ページの紙資料Ｐの識別情報が得られている場合は、そのすべて）とを関連づけて、記憶部１２に格納して（Ｓ８）、処理を終了する。
【００９２】
さらに処理Ｓ３において、検索により見いだされた会議情報の数が「２」より多い場合、制御部１１は、会議情報の一覧を利用者に提示して（図１９）、選択させる（Ｓ９）。このために記憶装置２において、会議の名称など会議の内容を表す情報が会議を識別する情報に関連づけて会議情報に記録されていれば、当該会議の名称の一覧を提示してもよい。利用者は、この一覧から、参加する会議を一つ選択する。制御部１１は、処理Ｓ４に移行して選択された会議情報に含まれる資料の数をカウントする。
【００９３】
なお、利用者が会議に参加する場合、情報処理装置１は、利用者から会議に参加する旨の指示を受け入れてもよい。制御部１１は、当該会議に参加する旨の指示を受け入れた場合、図示しない時計部からその時点の日時の情報を取得しておき、次のように処理を行ってもよい。
【００９４】
すなわち制御部１１は、開催日時に時計部から取得した日時を含む会議情報、または当該日時の後、予め定めた時間以内に開始日時のある会議情報を選択し、処理Ｓ４に移行して、当該選択した会議情報に含まれる資料の数をカウントすることとしてもよい。
【００９５】
また、制御部１１は、処理Ｓ９で提示する一覧を、開催日時に時計部から取得した日時に、開催日時または終了日時が近い順に会議情報を並べ替えて提供してもよい。
【００９６】
さらに、処理Ｓ３や処理Ｓ５において、カウントした数が「０」である場合はエラーとしてもよいし、記憶装置２に格納されている資料情報のすべてや、会議情報のすべてを一覧として利用者に提示し、選択させてもよい。
【００９７】
制御部１１は、このようにして紙資料Ｐの識別情報と資料識別情報とを関連づける。そして、面Ｓに置かれた紙資料Ｐに関連する領域情報を記憶装置２から取得することになる。
【００９８】
また紙資料Ｐの識別情報に、資料識別情報が含められていてもよい。この場合、制御部１１は、上記処理を行うことなく、面Ｓに置かれた紙資料Ｐから検知した識別情報に含まれる資料識別情報を用いて、記憶装置２から面Ｓに置かれた紙資料Ｐに関わる領域情報を取得する。
【００９９】
［照明処理］
次に、制御部１１による照明処理について説明する。制御部１１は、紙資料Ｐが面Ｓに置かれ、その識別情報が得られると、当該得られた識別情報に関連づけられている資料識別情報を取得する。既に述べた処理により、記憶部１２に紙資料Ｐの識別情報と資料識別情報とを関連づけた情報が保持されている場合、制御部１１は、当該情報を参照して、面Ｓに置かれた紙資料Ｐに関連する資料識別情報（対応資料識別情報）を取得する。
【０１００】
また、紙資料Ｐの識別情報に、資料識別情報が含められている場合、制御部１１は、面Ｓに置かれた紙資料Ｐから検知した識別情報に含まれる資料識別情報を取得する。
【０１０１】
制御部１１は、そして、取得した資料識別情報に関連づけられている（つまり、対応資料識別情報に一致する資料識別情報に関連づけられている）領域情報を記憶装置２に対して要求する。
【０１０２】
制御部１１は、また、紙資料Ｐの面Ｓに対する相対位置を検知し、第１変換式を得ておく。制御部１１は、記憶装置２から得た領域情報に含まれる座標の最小値（ｘmin，ｙmin）及び、最大値（ｘmax，ｙmax）を第１変換式によって変換し、面Ｓでの座標で表した最小値（ξmin，ηmin）、最大値（ξmax，ηmax）を得る。
【０１０３】
そして、制御部１１は、これら面Ｓでの座標で表した最小値（ξmin，ηmin）、最大値（ξmax，ηmax）で表される矩形に含まれる表示部１４の照明領域に対応するＬＥＤを点灯させる。これにより利用者の過去の書き込みに対応する一部の照明領域が紙媒体の下部から選択的に照明される。
【０１０４】
より具体的に、制御部１１は、図示しない時計部から処理の時点での日時の情報（現在日時）を取得し、記憶装置２において、面Ｓに置かれた紙資料Ｐに対応する資料識別情報に関連づけられている会議の開催日時の情報を参照する。制御部１１は、参照した開催日時が現在日時を含む（会議の開始日時と終了日時との間に現在日時が入っている）場合、取得した資料識別情報に関連づけられている領域情報を記憶装置２に対して繰り返し要求する。
【０１０５】
そして制御部１１は、要求に対して送信される領域情報のうち、現在日時の情報に最も近い日時の情報に関連づけられている領域情報を参照し、当該領域情報に含まれる座標の最小値（ｘmin，ｙmin）及び、最大値（ｘmax，ｙmax）を第１変換式によって変換し、面Ｓでの座標で表した最小値（ξmin，ηmin）、最大値（ξmax，ηmax）を得て、これら面Ｓでの座標で表した最小値（ξmin，ηmin）、最大値（ξmax，ηmax）で表される矩形に含まれる表示部１４の照明領域に対応するＬＥＤを点灯させるようにしてもよい。
【０１０６】
この場合、発表者が領域を選択し、当該選択した領域を表す領域情報が記憶装置２に蓄積されるごとに、情報処理装置１が当該領域情報を取得して、対応する紙資料Ｐ上の領域を照明することとなる。
【０１０７】
また利用者が会議後に、当該会議に関係する紙資料Ｐを面Ｓ上に置いたときには、制御部１１は、記憶装置２において、面Ｓに置かれた紙資料Ｐに対応する資料識別情報に関連づけられている会議の開催日時の情報を参照しても、当該参照した開催日時が現在日時を含まないと判断することになる。
【０１０８】
この場合、制御部１１は、取得した資料識別情報に関連づけられている領域情報を記憶装置２に対して要求するとともに、検知した紙資料Ｐの識別情報に関連づけて記憶部１２に保持されている領域情報（利用者の書き込み領域を表す領域情報）を取得する。
【０１０９】
制御部１１は、そして要求に対して記憶装置２から送信される領域情報に含まれる座標の最小値（ｘmin，ｙmin）及び、最大値（ｘmax，ｙmax）を第１変換式によって変換し、面Ｓでの座標で表した最小値（ξmin，ηmin）、最大値（ξmax，ηmax）を得て、これら面Ｓでの座標で表した最小値（ξmin，ηmin）、最大値（ξmax，ηmax）で表される矩形に含まれる表示部１４の照明領域に対応するＬＥＤを点灯させる。また、記憶部１２から読み出した記憶領域に含まれる座標の最小値（ｘmin，ｙmin）及び、最大値（ｘmax，ｙmax）を第１変換式によって変換し、面Ｓでの座標で表した最小値（ξmin，ηmin）、最大値（ξmax，ηmax）を得て、これら面Ｓでの座標で表した最小値（ξmin，ηmin）、最大値（ξmax，ηmax）で表される矩形に含まれる表示部１４の照明領域に対応するＬＥＤを点灯させる。
【０１１０】
このとき制御部１１は、記憶装置２から取得した領域情報（発表者が指定した情報など）に基づいて照明する領域と、記憶部１２から読み出した領域情報（利用者が記入した領域の情報など）に基づいて照明する領域とで、その照明態様を変更してもよい。例えば一方を点滅させる、または互いに照明の色を異ならせるなどとしてもよい。
【０１１１】
また、このように会議後に照明処理を行う場合、制御部１１は、処理開始からの経過時間τを用いて次のように処理してもよい。すなわち制御部１１は、面Ｓ上の紙資料Ｐに対応する資料識別情報を含む会議情報から、会議の開催日時の情報を取得し、会議の開始日時の情報Ｔ0を得る。
【０１１２】
次に、制御部１１は、記憶装置２から取得した領域情報に関連づけられた日時の情報を参照する。以下、日時の早い順に並べ替えたときのｉ番目の領域情報に関連する日時の情報をＴiとする。制御部１１は、Ｔi−Ｔ0＜τ＜Ｔi+1−Ｔ0となると（但しＴi+1がない場合は終了日時Ｔfを用い、Ｔi−Ｔ0＜τ＜Ｔfとなると）、ｉ番目の領域情報に基づく照明処理を行う。
【０１１３】
また、このとき、記憶部１２に格納されている領域情報については、Ｔｓ＜τ＜Ｔｅとなるような領域情報があれば、時刻τにおいては、当該領域情報に基づく照明処理を行う。
【０１１４】
なお、τは、必ずしもここで説明したような実時間でなければならないものではなく、実際の時刻の進行に対して指定された倍率を乗じるなどして、進行を遅速させてもよい。また進行を逆転させてもよい。さらに指定した時刻に設定されてもよい。
【０１１５】
さらに、記憶部１２に格納されている領域情報については、書き込みが開始、または終了した時刻の情報Ｔｓ，Ｔｅが記録されているときには、例えば書き込みの開始時刻Ｔｓをキーとして、記憶装置２から得た領域情報を並べ替え、並べ替え後のｉ番目（例えば当初は「ｉ＝１」などとしておく）の領域情報に対応する照明領域（第１変換式を適用して面Ｓでの座標に変換した後の領域）を点灯させてもよい。このときには、操作部１３が利用者からｉをデクリメント、またはインクリメントさせる指示を受け入れ、制御部１１がデクリメントまたはインクリメント後のｉ番目の対象領域情報に対応する照明領域（第１変換式を適用して面Ｓでの座標に変換した後の領域）を点灯させてもよい。
【０１１６】
また利用者が時刻の情報を操作部１３を介して入力し、制御部１１が、入力された時刻Ｔが、Ｔｓ≦Ｔ≦Ｔｅであるような時刻情報に関連づけられた対象領域情報に対応する照明領域（第１変換式を適用して面Ｓでの座標に変換した後の領域）を点灯させてもよい。
【０１１７】
なお、紙資料Ｐが複数の頁からなる場合であって、記憶装置２から取得した領域情報に頁数の情報が含まれているときには、当該頁数に対応する紙資料Ｐを表示するよう利用者に通知し（表示部に指示の文字列を表示してもよいし、音声などで通知してもよい）、そのうえで、第１変換式を得て、次いで照明処理を行ってもよい。このとき、最上の紙資料Ｐの識別情報が当該頁に対応するものであるかを確認してもよい。
【０１１８】
［領域情報記録の別例］
ここまでの説明では、紙資料Ｐに対して書き込みが行われた領域を表す領域情報や発表者が指定した領域の情報を記録して、これらに対応する領域を照明する処理を行う例について述べたが、照明を行う領域の例は、これに限られるものではない。
【０１１９】
例えば、紙媒体に対して資料の文字列等を印刷し、紙資料とするときに、当該紙資料の識別情報を検出しておく。また、印刷する文字列等から予め定めた条件に合致する部分（例えばハイパーリンクを表すＵＲＬ（Uniform Resource Locators）の文字列など）が印刷される領域を検出し、当該検出した領域を表す領域情報を生成して、識別情報に関連づけて記憶装置２に蓄積しておいてもよい。
【０１２０】
この例によると、情報処理装置１が記憶装置２に対して識別情報に関連づけられた領域情報を要求したときに、記憶装置２が印刷された文字列等の部分に対応する識別情報を送信する。
【０１２１】
そして記憶装置２から当該要求に応じて送信される領域情報を受信した情報処理装置１が、受信した領域情報（紙資料Ｐの座標系で表されている）を、変換式ペアの一方によって面Ｓの座標系に変換する。そして当該変換した座標系で表される面Ｓの範囲に対応する部分を表示部１４を制御して照明させる。これにより、予め定めた条件に合致する文字列部分が照明されることになる。
【０１２２】
［照明の他の例］
なお、表示部１４による照明方法は、単に点灯・消灯するだけに留まらず、一例として表示部１４が多色ＬＥＤを備えている場合や、カラー液晶表示デバイスである場合であって、紙資料Ｐの識別情報に関連づけられた対象領域情報が複数ある場合には、各対象領域情報に対応する照明領域を互いに異なる色で点灯するようにしてもよい。ここでさらに対象領域情報について時刻の情報が関連づけられているときには、時刻の情報に応じて（例えばより早い時刻ほど明るい色とするなど）点灯色を制御してもよい。また、点灯態様を点滅パターンで異ならせてもよい。
【０１２３】
さらに本実施の形態において、冊子状に綴じられた紙資料Ｐなど、複数の紙資料Ｐを重ねて面Ｓ上に配する場合、複数の紙資料Ｐを透かして下面側から一部を照射することが困難な場合もある。そこで表示部１４は、例えば図２０に例示するように、点光源３１と、レンズ系３２と、液晶シャッター３３と、投影レンズ３４とを含んで構成されてもよい。この表示部１４は、紙資料Ｐを上側から照射する。すなわちこの表示部１４を用いる場合、制御部１１は、液晶シャッター３３上で、照射したい照明領域に対応する画素を暗転（光を透過させない状態）にしておく。点光源３１が放射した光は、レンズ系３２によって平行光とされ、液晶シャッター３３に照射される。液晶シャッター３３では、暗転されていない画素以外の部分で光が透過される。液晶シャッター３３にて、少なくとも一部を透過された光は、投影レンズ３４を介して、紙資料Ｐ上に照射される。
【０１２４】
［紙媒体を固定する例］
さらに本実施の形態において、情報処理装置１は、図２１（ａ）に概要を示すように、面Ｓ上での紙資料Ｐの位置を固定するために、紙資料Ｐを面Ｓとの間で挟み込み、紙資料Ｐの移動を規制するクリップ４１を備えてもよい。このようにしておくと、一度、紙資料Ｐと面Ｓとの各座標系を変換する変換式ペアができあがった後は、このクリップ４１が開かれるまで、変換式ペアを再演算する必要がない。なお、この場合も利用者の明示的な指示により、クリップ４１が開かれなくても変換式ペアを再演算するようにしても構わない。
【０１２５】
すなわちこの場合、制御部１１は、クリップ４１が開かれて閉じられると、面Ｓに対する最上の紙資料Ｐの傾き及び平行移動量を推定し、変換式ペアを演算する処理を行う。
【０１２６】
また、図２１（ｂ）に示すように、一部を開閉可能なリング４２（図２１（ｃ）に例示するように、略半円状の一対のリング部材を向き合わせ、一端側を軸を介して回動可能に固定し、他端側を閉じたり開いたりできるようにしたもの）を設け、紙資料Ｐに開けた穴を通して紙資料Ｐの面Ｓ上での移動範囲を規制するようにしてもよい。
【０１２７】
これらのように紙資料Ｐが面Ｓ上で移動可能な範囲を規制する手段を備えている場合、書き込みの際、及び照明の際にその傾きや平行移動量を推定する処理や、推定された傾きや平行移動量に基づいて変換式を生成する処理は必ずしも必要でない。
【０１２８】
［その他の例］
また、ここまでの説明では、利用者が記入した領域の情報は、紙資料Ｐの座標への座標変換の後、記憶部１２に格納することとしているが、これに限らず、例えば記憶装置２へ送信して蓄積させてもよい。この場合、照明処理の際には制御部１１は、検知した紙資料Ｐの識別情報に対応する領域情報を、記憶装置２から取得する。
【０１２９】
さらに本実施の形態では、図１８に例示した資料一覧を提示する際に、図１８に例示したものに代えて、例えば各資料の資料識別情報に関連付けられた領域情報及び日時情報を参照し、日時情報を一例として横軸にとり、この軸上に資料を特定する情報（資料名など）を配して表示してもよい（図２２）。すなわち各資料に関する日時の情報のうち、最先の日時の情報に対応する軸上の位置に各資料を表示する。利用者は、この軸上に配列された資料の群から、目的の資料を選択すればよい。
【図面の簡単な説明】
【０１３０】
【図１】本発明の実施の形態に係る情報処理システム及び情報処理装置の構成例を表すブロック図である。
【図２】本発明の実施の形態に係る情報処理装置の外観例を表す説明図である。
【図３】本発明の実施の形態に係る情報処理装置によって照明される照明領域の設定例を表す説明図である。
【図４】本発明の実施の形態に係る記憶装置の構成例を表す説明図である。
【図５】本発明の実施の形態に係る記憶装置が保持する会議情報の内容例を表す説明図である。
【図６】本発明の実施の形態に係る記憶装置が保持する資料の情報の内容例を表す説明図である。
【図７】本発明の実施の形態に係る情報処理装置において利用者に行わせる記入操作、記入内容の例を表す説明図である。
【図８】本発明の実施の形態に係る情報処理装置における照明領域の座標設定の例を表す説明図である。
【図９】本発明の実施の形態に係る情報処理装置において利用者に行わせる記入操作の対象となる領域を表す説明図である。
【図１０】本発明の実施の形態に係る情報処理装置が記入操作の内容に基づいて相対位置を検知する処理の例を表す説明図である。
【図１１】本発明の実施の形態に係る情報処理装置が無線タグを用いて相対位置を検知する例を表す説明図である。
【図１２】本発明の実施の形態に係る情報処理装置により記録される情報のひとつの例を表す説明図である。
【図１３】本発明の実施の形態に係る情報処理装置において利用される紙媒体と、情報処理装置の使用態様とを表す説明図である。
【図１４】本発明の実施の形態に係る情報処理装置において利用される紙媒体の例を表す説明図である。
【図１５】本発明の実施の形態に係る情報処理装置が冊子状に綴じられた紙媒体の相対位置を検知する例を表す説明図である。
【図１６】本発明の実施の形態に係る情報処理装置における冊子状に綴じられた紙媒体の相対位置を検出する処理の例を表す説明図である。
【図１７】本発明の実施の形態に係る情報処理装置の処理の例を表すフローチャート図である。
【図１８】本発明の実施の形態に係る情報処理装置が提供する資料の一覧の例を表す説明図である。
【図１９】本発明の実施の形態に係る情報処理装置が提供する会議の一覧の例を表す説明図である。
【図２０】本発明の実施の形態に係る情報処理装置の表示部の別例を表す概要図である。
【図２１】本発明の実施の形態に係る情報処理装置の別例を表す説明図である。
【図２２】本発明の実施の形態に係る情報処理装置が提供する資料の一覧の別の例を表す説明図である。
【符号の説明】
【０１３１】
１  情報処理装置、２  記憶装置、１１，２１  制御部、１２，２２  記憶部、１３  操作部、１４  表示部、１５  媒体検知部、１６，２３  通信部、３１  点光源、３２  レンズ系、３３  液晶シャッター、３４  投影レンズ、４１  クリップ、４２  リング。
【図１】
2009294847.tif 000005
【図２】
2009294847.tif 000006
【図３】
2009294847.tif 000007
【図４】
2009294847.tif 000008
【図５】
2009294847.tif 000009
【図６】
2009294847.tif 000010
【図７】
2009294847.tif 000011
【図８】
2009294847.tif 000012
【図９】
2009294847.tif 000013
【図１０】
2009294847.tif 000014
【図１１】
2009294847.tif 000015
【図１２】
2009294847.tif 000016
【図１３】
2009294847.tif 000017
【図１４】
2009294847.tif 000018
【図１５】
2009294847.tif 000019
【図１６】
2009294847.tif 000020
【図１７】
2009294847.tif 000021
【図１８】
2009294847.tif 000022
【図１９】
2009294847.tif 000023
【図２０】
2009294847.tif 000024
【図２１】
2009294847.tif 000025
【図２２】
2009294847.tif 000026